(57)【要約】【課題】放送番組の画面から他の画面へ切り換えた際に、切換後の経過時間を画面に表示することで、元画面に戻るタイミングをユーザに与える情報処理装置を提供する。【解決手段】放送信号を受信して映像信号を出力する受信部１１，１２と、受信部からの映像信号に応じる第１表示を表示する表示部１５と、第１表示をこれとは異なる第２表示に切り換える際に、切換時からの経過時間を表示部に表示するべく制御する制御部１８とをもつ情報処理装置であり、放送画面をブラウザ画面等に切り換えた後に経過時間を表示するため、目的のテレビ番組を見逃すことがなくなる。【選択図】      図１
2005109567.tif 000002
【特許請求の範囲】
【請求項１】
放送信号を受信して映像信号を出力する受信部と、
前記受信部からの前記映像信号に応じる第１表示を表示する表示部と、
前記第１表示をこれとは異なる第２表示に切り換えて、切換時からの経過時間を前記表示部に表示するべく制御する制御部とを具備することを特徴とする情報処理装置。
【請求項２】
接続されたネットワークを介して供給された信号に基づき、前記第２表示のための画像信号を出力する通信部を更に有する請求項１記載の情報処理装置。
【請求項３】
前記制御部は、前記画面の切換時から所定時間を経過した時、経過したことを前記表示部に表示するべく制御することを特徴とする請求項１記載の情報処理装置。
【請求項４】
前記制御部は、前記画面の切換時から所定時間を経過した時、経過したことを、前記表示部での前記経過時間の表示の色又はフォントの変化、又は、表示を点滅させることで知らせるべく制御することを特徴とする請求項１記載の情報処理装置。
【請求項５】
前記制御部は、前記画面の切換時から所定時間が経過した時、前記第２表示から前記第１表示に切り換えることを特徴とする請求項１記載の情報処理装置。
【請求項６】
前記制御部は、前記第１表示から前記第２表示に切り換えて更に前記第１表示に戻した際に前記第２表示を表示していた所定時間を記録しておき、前記画面の切換時から前記所定時間を経過した時、経過したことを前記表示部に表示するべく制御することを特徴とする請求項１記載の情報処理装置。
【請求項７】
放送信号を受信して映像信号を出力する受信部と、
前記受信部からの前記映像信号に応じる第１表示を表示する表示部と、
前記放送信号の電子番組情報を取得する取得部と、
前記第１表示をこれとは異なる第２表示に切り換えた際に、前記電子番組情報に基づいて、前記受信部が受信しているチャンネルにおいて現在から次番組の開始時刻までの時間を計算し、この時間を前記表示部に表示するべく制御する制御部と、
を具備することを特徴とする情報処理装置。
【請求項８】
接続されたネットワークを介して供給された信号に基づき、前記第２表示のための画像信号を出力する通信部を更に有する請求項７記載の情報処理装置。
【請求項９】
前記制御部は、前記次番組の開始までの残り時間が所定時間となると、開始が近づいたことを前記表示部に表示するべく制御することを特徴とする請求項７記載の情報処理装置。
【請求項１０】
前記制御部は、前記次番組が開始する所定時間前となると、又は前記次番組が開始すると、前記第２表示から前記第１表示に切り換えることを特徴とする請求項７記載の情報処理装置。
【請求項１１】
前記制御部は、画面切換のための仕様を設定し、この仕様に基づいて前記第２画面から前記第１画面へと切り換えることを特徴とする請求項７記載の情報処理装置。
【請求項１２】
前記取得部は、ユーザの操作信号を受けることなく、前記受信部を介して自動的に前記電子番組情報を取得して記憶することを特徴とする請求項７記載の情報処理装置。
【請求項１３】
放送信号を受信して映像信号を出力し、
前記映像信号に応じる第１表示を画面に表示し、
前記画面を前記第１表示とは異なる第２表示に切り換えて、切換時からの経過時間を前記画面に表示するべく制御することを特徴とする情報処理方法。
【発明の詳細な説明】
【技術分野】
【０００１】
この発明は、モバイルテレビ等の受信機能と、例えば、ネットワーク等のブラウザ表示機能等の他の表示機能とを併せ持った複合型の情報処理装置及び情報処理方法に関する。
【背景技術】
【０００２】
最近、ＡＤＳＬ（Asymmetric Digital Subscriber Line）や光通信等通信インフラの整備や携帯電話の普及により、インターネットにアクセス可能な環境が整備されてきている。
【０００３】
そうした中、インターネットにアクセスする端末としては家庭内ではＰＣ（Personal Computer）が基本的には主であるが、ＴＶや録画再生機等にインターネット接続機能を付加したものも出てきている。
【０００４】
又、携帯電話や公衆無線ＬＡＮ等で屋外でもインターネットにアクセスする機能は整備されてきており、携帯電話やノートＰＣ、ＰＤＡ等の機器でアクセスが可能になっている。そして、ＰＣではＴＶチューナを内蔵したものやＰＣ用のＴＶチューナ等が普及してきており、インターネット端末でＴＶを視聴する機器も普及してきている。
【０００５】
又、モバイル放送やデジタル地上波放送の開始に伴って移動体専用ＴＶも今後普及していく可能性があり、このような機器でもいずれはインターネットアクセス機能も備えることが予想される。更にすでにインターネットアクセスが可能な携帯電話でもこのような移動体向けの放送を受信する機能を加えていくことが予測され、今後は、通信端末としての機能とＴＶ受信機能の両方を備えた端末が増えていくものと予測される。
【０００６】
このような複数の機能を持つ端末において、その形状等によって表示できる画面サイズや解像度は様々である。ＰＣであれば画面サイズも比較的大きく解像度も高いため、マルチウィンドウ形式でＴＶとインターネット画面を同時に表示したりすることが可能である。しかし、携帯電話や移動体用ＴＶ等は可搬性の問題から筐体を小さくするため、ディスプレイサイズも小さくなり、解像度を高くしても小さすぎて見えないのでこのことにあまり意味がないこと等により、マルチウィンドウで表示することは容易ではない。そのためアプリケーション毎に画面を切り替えるシングルウィンドウ表示が主に用いられる。
【０００７】
特許文献１には、インターネット情報の表示機能をもった情報出力装置であり、放送受信中にコマーシャルが始まると、ユーザが特定のスイッチを押すことで、ユーザから予め決められた時間に応じて、コマーシャルの間だけインターネット画面を表示するものを開示している。これにより、ユーザは、番組放送とインターネットを都合に応じて視聴することが可能となる。
【特許文献１】特開平１１−３５５６８２号公報
【発明の開示】
【発明が解決しようとする課題】
【０００８】
しかし、従来技術においては、予め与えられた時間だけブラウザ画面を表示するものであるが、実際のテレビ等の放送画面の視聴とブラウザ画面の視聴との組合せにおいては、様々な形態が考えられる。一例として、放送画面を視聴していたが、一寸、ブラウザ画面が気になりブラウザ画面に切り換えてブラウザ画面の視聴を始め、その後、比較的長い時間、ブラウザ画面の視聴を続けたいが、放送画面もある程度視聴したい場合が考えられる。このような場合、従来技術のように、所定時間の経過後に画面切換が自動的に行われるだけでは、このようなユーザの要求に答えることができないという問題がある。
【０００９】
本発明は、放送番組の画面から他の画面へ切り換えた際に、切換後の経過時間を現在表示している画面に表示することで、元の画面に戻るタイミングをユーザに与えることができる情報処理装置及び情報処理方法を提供することを目的とする。
【課題を解決するための手段】
【００１０】
本発明は、放送信号を受信して映像信号を出力する受信部と、前記受信部からの前記映像信号に応じる第１表示を表示する表示部と、前記第１表示をこれとは異なる第２表示に切り換えて、切換時からの経過時間を前記表示部に表示するべく制御する制御部とを具備することを特徴とする情報処理装置である。
【００１１】
又、本発明は、放送信号を受信して映像信号を出力する受信部と、前記受信部からの前記映像信号に応じる第１表示を表示する表示部と、前記放送信号の電子番組情報を取得する取得部と、前記第１表示をこれとは異なる第２表示に切り換えた際に、前記電子番組情報に基づいて、前記受信部が受信しているチャンネルにおいて現在から次番組の開始時刻までの時間を計算し、この時間を前記表示部に表示するべく制御する制御部とを具備することを特徴とする情報処理装置である。
【発明の効果】
【００１２】
上述した情報処理装置においては、例えば、テレビ番組等の放送画面から、ユーザの操作により、例えば、インターネット等のブラウザ画面へと切り換えると、切り換えた時点から経過時間が画面中に表示されるものである。これにより、例えば、テレビ番組のコマーシャルの間だけブラウザ画面を視聴し、コマーシャルが終わったら放送画面に戻ることも可能であるし、そのまま、ブラウザ画面を視聴しつづけ、ユーザが経過時間に応じて判断して適切なタイミングで放送画面に戻るという視聴の仕方が可能となる。
【００１３】
又、更に、上述した情報処理装置においては、例えば、テレビ番組を表示している状態から、ブラウザ画面に切り換えた後に、その放送のチャンネルの次番組までの時間を、取得した電子番組情報と現在時間とから計算して画面に表示するものである。これにより、ユーザがブラウザ画面の視聴に没頭することで次番組の始まりの部分を見損なってしまうような状況を回避することができるので、テレビ番組等の放送画面の視聴とブラウザ画面の視聴とを適宜、両立させることが可能となる。
【発明を実施するための最良の形態】
【００１４】
以下、本発明に係る情報処理装置について、図面を用いて以下に詳細に説明する。
【００１５】
＜本発明の第１の実施形態に係る情報処理装置＞
以下、図面を参照しながら本実施形態について説明する。図１は、本発明に係る情報処理装置の構成の一例を示すブロック図、図２は、本発明の第１実施形態に係る情報処理装置の処理の一例を示すフローチャート、図３及び図４は、情報処理装置の処理の一例を示す操作画面を示す図である。
【００１６】
（構成）
本発明に係る情報処理装置１は、図１において、アンテナからの信号を受け、衛星放送や地上波放送、ＣＡＴＶ等で放送される番組の一つを選局して受信するチューナ１１をデータバス２０に接続されて有しており、更に、チューナ１１で選局されたトランスポートストリーム（ＴＳ）のデマックスやＭＰＥＧの復号を行うＴＳ及びＭＰＥＧ処理部１２と、復号された映像信号のグラフィック処理を行うグラフィック処理部１３と、タイマ２１とを、データバス２０に接続されて有している。
【００１７】
又、更に、情報処理装置１は、インターネット等のネットワークに接続されるモデム等の通信部１６と、これを介して得られた情報を表示可能な信号形態に処理するブラウザ部１７とを有しており、この出力と先のグラフィック処理部１３との出力が、供給されるセレクタ１４と、セレクタ１４により選択された画像信号が出力されこれに応じた画像が表示される表示部１５とを有している。なお、この通信部１６はワイアレス機能を有していることが好適であり、情報処理装置１を携帯して使用しながら、通信部１６を介して例えばインターネット等に接続して所望の情報を取得することが可能である。
【００１８】
又、更に、情報処理装置１は、データバス２０を介して接続され、全体の動作を司る制御部１８と、制御部１８に指示信号や操作信号等を供給し、更に、操作情報等を制御部１８から受けてこれを液晶画面や発光ダイオード等に表示する入力部１９とを有している。入力部１９は、ユーザから操作指示を受けたり、簡単な操作表示を示したりするものであり、受信装置１上の操作スイッチや無線通信によるリモコン等である。
【００１９】
ここで、本発明に係る第１実施形態は、テレビ等の放送画面から、例えば、インターネット等のブラウザ画面に切替える場合に、切替え後の経過時間を表示する情報処理装置を提供する。
【００２０】
（動作）
次に、このような本発明の第１実施形態に係る情報処理装置１の動作を、図２のフローチャートを用いて、以下に詳細に説明する。図２のフローチャートは、放送画面（Ａ）を表示する場合と、インターネットのブラウザ画面を表示する場合（Ｂ）と、放送画面（Ａ）からブラウザ画面（Ｂ）に切替える場合と、ブラウザ画面（Ｂ）から放送画面（Ａ）に切替える場合とをそれぞれ示している。なお、このフローチャートは、開始から終了の工程を例えば１秒間にｎ回反復することにより、上述した場合のそれぞれに対応して、適正な処理を行うものである。
【００２１】
このフローチャートにおいて、入力部１９から画面切り替えの入力があった場合は(Ｓ２２)、その切り替え方向が判定される(Ｓ２３)。ここで、現在画面が放送画面（Ａ）でありブラウザ画面（Ｂ）に切替える場合であれば(Ｓ２３)、制御部１８の制御に基づいて通信部１６とブラウザ部１７の働きにより、例えば、インターネットから情報を取得し、ブラウジングアプリケーションによって表示されるべく、ブラウザ部１７により取得情報を処理する(Ｓ２４)。そして、セレクタ１４の選択をＡからＢへと変更することで、ブラウザ画面を表示部１５において行う(Ｓ２５)。
【００２２】
又、ステップＳ２３において、ブラウザ画面（Ｂ）から放送画面（Ａ）への切替えであれば、チューナ１１によりアンテナからの信号から所望の放送信号を選局し、ＴＳ及びＭＰＥＧ処理部１２によりストリーム信号を復調し、グラフィック処理部１３によりグラフィック処理を施して(Ｓ２７)、セレクタ１４にてＡを選択することで (Ｓ２８)、表示部１５において放送信号に応じる映像を表示する。
【００２３】
その後、このフローチャートの処理は、開始ステップＳ２１へと再び戻り、次に、画面の切り替え入力がない場合は(Ｓ２２)、現在表示している画面の判定を行う (Ｓ２９)。ここで、現在表示画面が放送画面（Ａ）である場合は、この画面Ａになってから所定量の時間（例えば１分以上等）経過しているかの判定を行う(Ｓ３０)。まだ、一定の時間が経過していない時は、経過時間のカウントアップをおこなう(Ｓ３４)。即ち、ここでは、放送画面（Ａ）であるが、ブラウザ画面（Ｂ）から放送画面（Ａ）に切り替わってから十分時間が経過したかどうか、カウントアップを行うものである。
【００２４】
又、ステップＳ３０で既に一定時間経過していると判定された場合は、“放送画面（Ａ）からブラウザ画面（Ｂ）に切り替わってから、ブラウザ画面（Ｂ）から放送画面（Ａ）に戻った期間”の経過時間をすでにリセットしているかどうかを判定する(Ｓ３１)。そして、すでにリセット済みであれば何も行わず、まだリセットを行っていない場合には、“放送画面（Ａ）からブラウザ画面（Ｂ）に切り替わってから、ブラウザ画面（Ｂ）から放送画面（Ａ）に戻った期間”の経過時間を記憶し（Ｓ３２）、タイマをリセットする(Ｓ３３)。この時、記憶した経過時間が、後述するステップＳ３５での比較の際の基準値となる。
【００２５】
又、ステップＳ２９にて、現在の画面がブラウザ画面（Ｂ）であると判定されると、現在のタイマの経過時間が、記憶されている経過時間を超えているかどうかを判断する(Ｓ３５)。超えていなければ、ブラウザ部１７の制御を行って画面上に経過時間を表示させる(Ｓ３６)。この時の経過時間とは、ステップＳ３２で格納した前回の経過時間であり、例えば、ＣＭ期間に該当する時間である。
【００２６】
又、ここで、記憶済みの経過時間が、現在のタイマの経過時間よりも大きければ、既に設定された経過時間を超えて、例えば、ブラウザ画面を表示しつづけていると判断し、図３の(ｃ)のように経過時間の表示において、色や点滅、フォントの大きさ等で強調表示をして経過時間を表示を行う（Ｓ３７）。又、所定時間を経過したことをメッセージで具体的に明示することも好適である。
【００２７】
このような動作手順とすることで、例えばＣＭの間だけインターネットでのブラウザ閲覧を行っている場合等、ＣＭが終了したかを確認するために一瞬元の画面に戻って確認してまだＣＭ中であればブラウザ画面に戻るような動作を行った場合には、経過時間はリセットされない。従って、このような一瞬、放送画面に戻ったことはカウントされず、実質的な、“放送画面（Ａ）からブラウザ画面（Ｂ）に切り替わってから、ブラウザ画面（Ｂ）から放送画面（Ａ）に戻った期間”が計測できるので、ＣＭ等の時間の測定を容易に行うことができる。ここでは、一つのテレビ番組中のＣＭの時間は、だいたいにおいて同じ時間となるということを前提としている。
【００２８】
これにより、例えば、１回目のＣＭの時に、ユーザのマニュアル操作による放送画面とブラウザ画面との切替えを行うと、２回目以降のＣＭ時に、再度このような動作を行った場合には、すでにＣＭの時間がわかっているので表示される経過時間を参照して、所定の時間になったらブラウザ画面から放送画面へ戻ればよいことになる。又、更に経過時間を経過した場合は、図３の（ｃ）のように画面の文字等が強調表示されるので、ユーザはＣＭが終わる時刻を経過したことを認識することができる。
【００２９】
このように、本発明によれば放送受信機能とインターネット接続機能を備えた受信装置において、放送受信中に別の画面に切り替えたときに、切り替えてからの経過時間が表示されるので、元の画面に戻るときのタイミングの目安とすることができ、画面サイズの小さい情報処理装置でも画面を有効に活用することが可能となる。
【００３０】
又、この実施形態においては、放送番組受信中にインターネットアクセスする場合を例としたが、逆も同様であり、又、放送とインターネットの組み合わせに限定されず、広く複数のアプリケーションの画面切替えに適用することができるのはいうまでもない。
【００３１】
＜本発明の第２の実施形態に係る情報処理装置＞
次に、第２の実施形態は、テレビ等の放送画面から他の画面（インターネット等のブラウザ画面等）に切替えた後に、所定時間経過すると自動的に放送画面に戻ることができる情報処理装置を提供する。図４は、本発明に係る情報処理装置の処理の一例を示す設定画面を示す図、図５は、本発明の第２実施形態に係る情報処理装置の処理の一例を示すフローチャートである。
【００３２】
図５のフローチャートは、基本的に図２のフローチャートと同等のものであるが、ステップＳ４１と、ステップＳ４２との処理が異なっているため、共通部分は説明を省略し、相違部分だけを以下に説明する。
【００３３】
初めに、ユーザの操作による設定により、又は、デフォルト設定により、図４の(ａ)に示すように、画面自動切換えをオンすることで、この動作モードを得ることができる。ステップＳ２２において、画面切替え入力がなく、現在画面がＢであるとき(Ｓ２９)、現在のタイマの経時時間が記憶されている経過時間に到達していると(Ｓ３５)、ブラウザ画面から放送画面へと自動的に切り替わるものである。即ち、制御部１８の制御下によりチューナ１１が制御されてＴＶ受信処理が行われ(Ｓ４１)、セレクタ１４は、Ａを選択することで、表示部１５に放送画面が表示されることとなる(Ｓ４２)。その他の処理においては、図２のフローチャートの場合と同等である。
【００３４】
このように画面を自動切換えとすることにより、例えば、ユーザがマニュアルにより与えられるか、図２のステップＳ３２において自動的に記憶される設定時間（例えば９０秒）に応じて、放送画面から切替えられたブラウザ画面が９０秒後に自動的に放送画面に切り替わるものである。これにより、ユーザは、２回目以降のＣＭにおいて、テレビ番組を放送画面で視聴していて、ＣＭになると操作することでブラウザ画面に切替えてブラウザ画面を視聴していても、９０秒後には自動的に放送画面に戻るため、ＣＭが終わって番組が再開するタイミングを見逃すという不具合を回避することができる。
【００３５】
＜本発明の第３の実施形態に係る情報処理装置＞
次に、第３の実施形態は、テレビ等の放送画面から他の画面（インターネット等のブラウザ画面等）に切替えた後に、取得した電子番組情報による次番組の開始時刻に基づく表示を行い、又、次番組の開始時刻にて自動的に放送画面へと戻ることができる情報処理装置を提供する。図４は、本発明に係る情報処理装置の処理の一例を示す設定画面を示す図、図６は、本発明の第２実施形態に係る情報処理装置の処理の一例を示すフローチャートである。
【００３６】
図６のフローチャートは、図２のフローチャートとの共通部分であるステップＳ２２乃至ステップＳ２９については、説明を省略し、相違部分だけを以下に説明する。
【００３７】
初めに、ユーザの操作による設定により、又は、デフォルト設定により、図４の (ｂ)に示すように、画面自動切換えをオンとし、番組単位切替えをオンとすることにより、この動作モードを得ることができる。ステップＳ２１により、例えば、電子番組情報であるＥＰＧ（Electric Program Guidance）情報を取得して、チューナ部１１の取得部の働き又は通信部１６の働きによりＥＰＧ情報を取得し制御部１８等の記憶領域に格納する。なお、ＥＰＧ情報は、設定された仕様により自動取得することが好適であり、これは、一日１回等の定刻の自動取得や、チューナ部１１や通信部１６が使用していない時間をプログラムが判断して、自動的に取得することが好適である。
【００３８】
そして、ステップＳ２２において画面切替え入力がなく、現在画面がＢであるとき(Ｓ２９)、制御部１８等が計時する現在時刻と、ＥＰＧ情報が示す受信中のチャンネルの次番組の開始時刻とを比較して、現在時刻が開始時刻に達しているかどうかを判断する(Ｓ５１)。達していなければ、現在時刻から次番組開始までの時間をカウントダウンして表示する(Ｓ５２)。又、ここで、現在時刻が次番組開始の時刻に達していなくとも、次番組開始時刻まで所定時間（例えば、５分前）になれば、警告という意味で、例えば、図３の(ｃ)の場合と同様に、色や点滅、フォントの大きさ等で強調表示をして、次番組開始時刻が近づいてきていることを表示する、又、近づいていることを具体的にメッセージで明示することも好適である。
【００３９】
又、ステップＳ５１において、現在時刻が次番組が開始時刻に達していると判断すると、制御部１８の制御下において、チューナ部１１とＴＳ・ＭＰＥＧ処理部１２等を駆動させ、放送信号に応じた映像信号を出力し(Ｓ４１)、セレクタ１４でＡを選択する(Ｓ４２)ことにより、ブラウザ画面から放送画面へと自動的に切替え処理を行うことができる。又、ここで、現在時刻が次番組開始時刻に完全に達していなくとも、例えば、所定時間（１０秒前等）の範囲であれば、先に切替え処理を行うことも好適である。
【００４０】
このような機能を備えることで、ある番組終了後、例えば関連するサイトの閲覧等を次番組が始まるまでの時間に行うような場合でも、次番組が開始時には自動的にＴＶ画面に切り替わるので、次番組を見ようと思っていた場合に見逃してしまうといったことを防止することができる。
【００４１】
なお、画面自動切換えや番組単位切替えを行わないが次番組が開始するまでの時間を表示させたい場合は、専用のモードを設けてこれを選択し、ステップＳ２１のＥＰＧ情報の取得及びステップＳ５１とステップＳ５２の処理により、これが可能である。又、ここで、現在時刻が次番組開始時刻に達すると、第１の実施形態のように、次番組が開始するまでの時間の強調表示の仕方を変える等により、次番組の開始を知らせることも好適である。この場合は、ユーザのマニュアル操作により、ブラウザ画面から次番組の放送画面への切替えが可能となる。この切替え処理の仕様は、図４に示した画面や、より詳細な画面においてユーザの操作により設定するもので、この仕様に基づいて第２画面（ブラウザ画面等）から第１画面（放送画面）へと切り換えることが好適である。
【００４２】
又、第１実施形態及び第２実施形態の表示や切替え処理と、上記の第３実施形態の処理とを同時に行うことも好適である。これらの選択は、ユーザの希望に応じて任意に選択することができる。
【００４３】
＜本発明の第４の実施形態に係る情報処理装置＞
次に、第４の実施形態は、テレビ等の放送画面から他の画面に切替える場合に、携帯電話である移動型通話部による画面へと切替えることができる情報処理装置を提供する。図７は、本発明の第４実施形態に係る情報処理装置の構成の一例を示すブロック図、図８は、情報処理装置が含む移動型通話部の構成の他の一例を示すブロック図である。
【００４４】
本発明に係る情報処理装置１０１においては、図７に示すように、一例として、地上デジタル放送である通常の高画質な放送（１３セグメント放送）と、主に携帯ＴＶ受信機向けの低データレート放送（１セグメント放送）とを受信し、更に、放送信号から電子番組情報であるＥＰＧ（Electric Program Guidance）情報を取得するチューナ部１１１と、これらをそれぞれ復調する復調部１１２とがバスラインに接続されて設けられている。更に、静止画像や動画像を取り込むためのＣＣＤ部１１３と、チューナ部１１１・復調部１１２で取り込んだ放送画像情報やＣＣＤ部１１３で取り込んだ静止画像情報、動画像情報等の画像処理を行う画像処理部１１４とを有している。更に、ゲームアプリケーション等の各種プログラム等を格納するメモリ部１１７がバスラインに接続されて設けられている。更に、移動電話機能のための移動型通話部２００をバスラインに接続されて有している。
【００４５】
更に、全体の動作を司るＭＰＵ１１５と、ユーザの操作指示を受ける操作部１１６とをバスラインに接続されて有している。なお、このＭＰＵ１１５は、メモリ部１１７のプログラム等と共に動作することで、上述した第１実施形態乃至第３実施形態の経過時間表示機能を有している。更に、情報処理装置１０１は、外部から着脱可能な記録媒体を接続するための外部メモリ部１１８を有している。更に、記録すべき画像情報や音声情報等、アプリケーションプログラム等を格納するハードディスクドライブ１１９と、上述した各ユニットの動作のための電源を供給するバッテリ部１１０と、バッテリ部１１０の電圧を検出するバッテリ電圧検出部１２４と、静止画や動画の映像情報を処理して出力する映像出力部１２０と、これに接続して映像を表示するＬＣＤ（Liquid Crystal Display）モニタ部１２１と、音声信号を処理してスピーカ・ボコーダ部１２３と音声信号のやり取りをする音声入出力部１２２とを有している。
【００４６】
又、本発明に係る情報処理装置の他の実施形態としては、モバイルＴＶとして、ノートＰＣ等の機器にデジタル放送受信のためのチューナカード等のアダプターを接続することにより携帯ＴＶ受信機として機能させることも好適である。この場合、チューナカード内の復調処理は、１３セグメント放送、１セグメント放送のどちらにも対応できるものとする。又、チューナカードから出力される圧縮符号化された映像や音声のデコードは、ノートＰＣのＣＰＵによるソフトウェアにより行う。通常１３セグメント放送と１セグメント放送とは圧縮符号化の方式が異なるが、ソフトウェアを切り替えることで、どちらの場合もデコードできるものとする。
【００４７】
更に、図８を用いて、上述した移動電話機能のための移動型通話部２００の構造を説明する。移動型通話部２００は、アンテナ２０１と、デュプレクサ２０２と、ＲＦ受信利得可変増幅器２０３と、ＲＦ帯域制限フィルタ２０４と、周波数変換器２０５と、ＩＦ帯域制限フィルタ２０６と、ＩＦ受信利得可変増幅器２０７と、変調・復調部２０８と、ＩＦ送信利得可変増幅器２１１と、周波数変換器２１２と、ＲＦ帯域制限フィルタ２１３と、ＲＦ送信利得可変増幅器２１４と、電力増幅器２１５と、アイソレータ２１６と、ボコーダ１２３と、スピーカ１２３とを有している。
【００４８】
又、変調・復調部２０８は、例えば直交復調部２８１と、Ａ／Ｄ変換部２８２と、情報信号復調部２８３と、復号化部２９２とからなり、更に、ボコーダからの信号を暗号化する暗号化部２８９と、情報信号変調部２８４と、Ｄ／Ａ変換部２８５と、直交変調部２８６とにより構成される。この構成において、直交復調部２８１で直交復調された信号はＡ／Ｄ変換部２８２でＡ／Ｄ変換され、信号復調部２８３で情報信号復調されて、復号化部２９２により復号されて出力される。
【００４９】
この移動型通話部２００はこのような構成において、受信処理について説明すると、基地局から送信されるフォワードリンク信号はアンテナ２０１で受信、デュプレクサ２０２で受信信号帯域内の成分だけフィルタリングされ、ＲＦ受信利得可変増幅器２０３で増幅あるいは減衰され、ＲＦ帯域制限フィルタ２０４で不要成分をフィルタリングされ、周波数変換器２０５でＲＦ帯からＩＦ帯へ周波数変換され、ＩＦ帯域制限フィルタ２０６で不要成分をフィルタリングされ、ＩＦ受信利得可変増幅器２０７で増幅あるいは減衰され、変調・復調部２０８へ入力する。
【００５０】
又、ここで、情報取得部２０２は、周波数変換器２０５，２１２にそれぞれ接続され、音声情報以外の、例えば、インターネット上のブラウザ情報やゲーム等のアプリケーション情報、電子番組情報であるＥＰＧ情報を周波数変換器２０５を経由して取得したり、画像情報や操作情報を周波数変換器２１２を経由して送信することができる。又、情報取得部２０２は、図示しないデータバスを介して、制御部であるＭＰＵ１１５等に接続されている。
【００５１】
又、変調・復調部２０８は、例えば直交復調部２８１と、Ａ／Ｄ変換部２８２と、情報信号復調部２８３と、情報信号変調部２８４と、Ｄ／Ａ変換部２８５と、直交変調部２８６で構成される。
【００５２】
ここで、暗号化部２８９と復号化部２９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部２９２との鍵情報が共通であればよい。
【００５３】
この構成を有する移動型通話部２００の受信処理について以下に説明すると、直交復調部２８１で直交復調された信号はＡ／Ｄ変換部２８２でＡ／Ｄ変換され信号復調部２８３で情報信号復調され、更に復号化部２９２で復号されて音声としてスピーカ２３に出力される。
【００５４】
又、更にこの移動型通話部２００の送信処理について以下に説明すると、移動局から送信されるリバースリンク信号はボコーダ２８７により与えられ、これを暗号化部２８９にて暗号化する。この暗号化された暗号化信号は、情報信号変調部２８４で変調されて出力されＤ／Ａ変換部２８５でＤ／Ａ変換、直交変調部２８６で直交変調され、ＩＦ送信利得可変増幅器２１１で増幅あるいは減衰され、周波数変換器２１２でＩＦ帯からＲＦ帯へ周波数変換され、ＲＦ帯域制限フィルタ２１３で不要成分をフィルタリングして、ＲＦ送信利得可変増幅器２１４で増幅あるいは減衰され、電力増幅器２１５で増幅され、アイソレータ２１６を介してデュプレクサ２０２で送信信号帯域内の成分だけフィルタリングされて、アンテナ２０１で空間へ送信されるものである。
【００５５】
本発明に係る情報処理装置１０１は、上述したような構成により、ＭＰＵ１５の制御下において、チューナ部１１、復調部１２の働きにより、デジタル地上波等のテレビ放送の受信、この受信した放送信号のＨＤＤ１９等への記録、記録されている放送信号や外部から提供された動画ファイルの再生を行うことができる。更に、同様に、ＭＰＵ１５の制御下において、ＣＣＤ部１３から取得した映像信号をＨＤＤ１９等へ記録し、記録された動画ファイルを再生することができる。同様に、チューナ部１１、復調部１２の働きにより、ラジオ放送等の受信と記録が可能であり、更に、復調部１２や音声入出力部２２の働きにより、ＨＤＤ１９等に格納された音声ファイル等の再生を行うものである。同様に、静止画の記録や再生も同様に行うことができる。更に、メモリ部１７やＨＤＤ１９に格納されたプログラムに応じて、動画像や音声中心のビデオゲームや、静止画像中心のテーブルゲームをプレイすることが可能である。又、更に、ＭＰＵ１５の制御下において、上述した移動型通話部２００の働きにより、移動型電話機能を用いて他の電話機と通話をすることが可能となる。又、他のアプリケーションプログラムをＨＤＤ１９等に格納して、ＭＰＵ１５等の制御下により動作させることで、任意の機能を発揮できるものである。
【００５６】
これにより、上述した第１実施形態乃至第３実施形態に示した経過時間の表示制御を行うと共に、図１の通信部１６の代わりに、携帯電話等の機能を有する移動型通信部２００を有することで、放送画面と移動型通信部２００によるアプリケーション画面との切替えの際の経過時間を表示するものである。この場合は、一例として、テレビ番組を視聴中しつつ、コマーシャルや番組と番組との合間に、移動型通信部２００を用いて電話したり、通信してゲームを楽しんだり、インターネットに接続してＥＰＧ情報を取得する場合が可能であり、画面の切り替わりについて経過時間を表示することとなる。
【００５７】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５８】
【図１】本発明に係る情報処理装置の構成の一例を示すブロック図。
【図２】本発明の第１実施形態に係る情報処理装置の処理の一例を示すフローチャート。
【図３】本発明に係る情報処理装置の処理の一例を示す操作画面を示す図。
【図４】本発明に係る情報処理装置の処理の一例を示す設定画面を示す図。
【図５】本発明の第２実施形態に係る情報処理装置の処理の一例を示すフローチャート。
【図６】本発明の第３実施形態に係る情報処理装置の処理の一例を示すフローチャート。
【図７】本発明の第４実施形態に係る情報処理装置の構成の一例を示すブロック図。
【図８】本発明の第４実施形態に係る情報処理装置が含む移動型通話部の構成の他の一例を示すブロック図。
【符号の説明】
【００５９】
１１…チューナ部、１２…ＴＳ・ＭＰＥＧ処理部、１３…グラフィック処理部、１４…セレクタ、１５…表示部、１６…通信部、１７…ブラウザ部、１８…制御部、１９…入力部、２０…データバス、２１…タイマ。
【図１】
2005109567.tif 000003
【図２】
2005109567.tif 000004
【図３】
2005109567.tif 000005
【図４】
2005109567.tif 000006
【図５】
2005109567.tif 000007
【図６】
2005109567.tif 000008
【図７】
2005109567.tif 000009
【図８】
2005109567.tif 000010